(57)【要約】      （修正有）【課題】回転可能なＬＥＤランプコネクタ及びそのＬＥＤランプを提供する。【解決手段】ＬＥＤランプコネクタ１は回転シート１０、二つのピン１６、カバー１２及びケース１４を包含する。該二つのピンは該回転シートの一端部に設けられ、並びに該ＬＥＤランプの線路に接続され、該回転シートの第１位置決め調整構造が該カバーの第２位置決め調整構造に対応しそれと組み合わされ、該回転シートが該ケースに嵌合され、該カバーが該ケースに固定される。該回転シートは選択的に該カバー及び該ケースに対して回転し、該第１、第２位置決め調整構造の組合せ関係が調整され、二つのピンの角度位置が変更されて、ＬＥＤランプがランプシートに設置される時、該ＬＥＤランプ２の照明方向を正確に確保できる。【選択図】図３
0003153401.tif 000002
【実用新案登録請求の範囲】
【請求項１】
回転可能なＬＥＤランプコネクタにおいて、該ＬＥＤランプコネクタはＬＥＤランプの一端部に設置され、該ＬＥＤランプは、
第１位置決め調整構造を具えた回転シートと、
該回転シートの一端に設けられると共に、該ＬＥＤランプの線路に接続された二つのピンと、
第２位置決め調整構造を具え、該回転シートの該第１位置決め調整構造が該第２位置決め調整構造に対応してそれと組み合わされるカバーと、
ケースであって、該ＬＥＤランプの端部に設置され、該回転シートが該ケースに嵌合され、該カバーが該ケースに固定される上記ケースと、
を包含し、該回転シートが選択的に該カバーと該ケースに対して回転し、該第１位置決め調整構造と該第２位置決め調整構造の組合せ関係が調整されて、該二つのピンが第１角度位置から第２角度位置に移動されることを特徴とする、ＬＥＤランプコネクタ。
【請求項２】
請求項１記載のＬＥＤランプコネクタにおいて、該回転シートと該ケースの間に設けられた弾性部材を更に具え、該ケースが該弾性部材を係止するストッパ部を具えたことを特徴とする、ＬＥＤランプコネクタ。
【請求項３】
請求項１又は２記載のＬＥＤランプコネクタにおいて、該第１位置決め調整構造が調整部材と複数の位置決め部材を包含し、該第２位置決め調整構造が調整溝と複数の位置決め孔を包含し、該調整部材が摺動自在に該調整溝に組み合わされ、これら位置決め部材がそれぞれこれら位置決め孔に対応してそれに通されることを特徴とする、ＬＥＤランプコネクタ。
【請求項４】
請求項１記載のＬＥＤランプコネクタにおいて、該カバーの周囲に更に複数の固定部材を具え、該ケースが更に複数の嵌め溝を具え、これら固定部材がこれら嵌め溝に嵌合されることを特徴とする、ＬＥＤランプコネクタ。
【請求項５】
請求項１記載のＬＥＤランプコネクタを具えたＬＥＤランプにおいて、該ＬＥＤランプの内部に交流切換え式電源供給器が設けられ、該交流切換え式電源供給器は該ＬＥＤランプの両端の二つのピンに接続され、並びに第１交流入力電圧と第２交流入力電圧を受け取り、該交流切換え式電源供給器は、
該第１交流入力電圧を整流／ろ波して第１整流／ろ波電圧を発生する第１入力整流／ろ波回路と、
電源変換回路であって、該第１入力整流／ろ波回路に接続され並びに第２入力整流／ろ波回路を具え、該第２入力整流／ろ波回路が該第２交流入力電圧を整流／ろ波して第２整流／ろ波電圧を発生し、該電源変換回路は該第１整流／ろ波電圧と該第２整流／ろ波電圧により出力電圧を発生する、上記電源変換回路と、
を包含したことを特徴とする、ＬＥＤランプコネクタを具えたＬＥＤランプ。
【請求項６】
請求項５記載のＬＥＤランプコネクタを具えたＬＥＤランプにおいて、該電源変換回路は少なくとも一つのＬＥＤに接続され、該出力電圧を該ＬＥＤに提供し、該電源変換回路は、
該第１整流／ろ波電圧と該第２整流／ろ波電圧により該出力電圧を発生する変圧器と、  該変圧器に接続され、並びに切換え信号を発生し、該変圧器を制御する切換え回路と、  を包含したことを特徴とする、ＬＥＤランプコネクタを具えたＬＥＤランプ。
【請求項７】
請求項６記載のＬＥＤランプコネクタを具えたＬＥＤランプにおいて、該電源変換回路は更に、
該ＬＥＤび発光輝度を検出し並びに対応する検出信号を発生する検出回路と、
該検出信号によりフィードバック制御信号を発生して該切換え回路を制御して該切換え信号を発生させるフィードバック制御回路と、
を包含したことを特徴とする、ＬＥＤランプコネクタを具えたＬＥＤランプ。
【請求項８】
請求項６記載のＬＥＤランプコネクタを具えたＬＥＤランプにおいて、該電源変換回路は更に、該電源変換回路の出力端に接続され、並びに該出力電圧によりフィードバック制御信号を発生して該切換え回路を制御して該切換え信号を発生させるフィードバック制御回路を包含したことを特徴とする、ＬＥＤランプコネクタを具えたＬＥＤランプ。
【考案の詳細な説明】
【技術分野】
【０００１】
本考案は一種のランプコネクタ及びそのＬＥＤランプに係り、特に回転可能なＬＥＤランプコネクタ及びそのＬＥＤランプに関する。
【背景技術】
【０００２】
生活水準の向上に伴い、照明及び装飾用ランプは次第に重視されるようになり、インテリア、エクステリアに適宜装飾照明が組み合わせられ、照明の実用機能のみならず、環境美化の効果を提供している。現在、大部分の使用者は蛍光灯を装飾用照明の光源としている。
【０００３】
近年、発光ダイオード（ＬＥＤ）の技術が成長し、応用の範囲が広がり、我々の周辺の日常生活に頻繁に出現するようになった。発光ダイオードは低電圧高電流の方式を利用して発光し、且つ発光ダイオードの使用寿命は長く、電力消耗が少なく、発生する熱エネルギーは少なく、環境保護の長所を有している。ゆえにＬＥＤランプの開発が開始された。
【考案の概要】
【考案が解決しようとする課題】
【０００４】
ＬＥＤランプの運用方面では、ＬＥＤランプの照明方向は一定の方向性を有し、蛍光灯の光線照射範囲が３６０度とされ得るのとは異なっており、且つＬＥＤランプの両端の二つのピンは必ずしもＬＥＤランプの照射方向に合わせて設けられておらず、このためＬＥＤランプをランプシートに取り付けた時、ＬＥＤランプの照射方向が正確にならず、ＬＥＤランプの使用性能が下がることがある。
【０００５】
本考案の目的は、一種の回転可能なＬＥＤランプコネクタ及びそのＬＥＤランプを提供することにあり、それはＬＥＤランプコネクタの設計において、回転シートを回転させることでＬＥＤランプの二つのピンの角度を変えられるようにし、それによりＬＥＤランプをランプシートに取付けた時に、ＬＥＤランプの照射方向を正確にできるようにしたものとする。
【課題を解決するための手段】
【０００６】
本考案のＬＥＤランプコネクタは回転シート、二つのピン、カバー及びケースを包含する。該二つのピンは該回転シートの一端部に設けられ、並びに該ＬＥＤランプの線路に接続され、該回転シートの第１位置決め調整構造が該カバーの第２位置決め調整構造に対応しそれと組み合わされ、該回転シートが該ケースに嵌合され、該カバーが該ケースに固定される。該回転シートは選択的に該カバー及び該ケースに対して回転し、該第１、第２位置決め調整構造の組合せ関係が調整され、二つのピンが第１角度位置から第２角度位置に変更されて、ＬＥＤランプがランプシートに設置される時、該ＬＥＤランプの照明方向を正確に確保できる。
【考案の効果】
【０００７】
本考案はＬＥＤランプコネクタを提供し、該ＬＥＤランプコネクタはＬＥＤランプに設置され、該ＬＥＤランプコネクタは回転シートを包含し、該回転シートは二つのピンの角度を変更でき、ＬＥＤランプがランプシートに設置される時に、その照射角度を正確とできる。ＬＥＤランプコネクタの回転シートに調整部材が設けられ、カバーに調整溝が設置され、該調整部材が調整溝に通され並びに調整溝内を摺動可能で、調整溝の角度が１８０度以下に制限されて、ＬＥＤランプの線路の絡まりを防止する。ＬＥＤランプコネクタの回転シートに複数の位置決め部材が設置され、カバーにこれら位置決め部材に対応する複数の位置決め孔が設けられ、これら位置決め部材がこれら位置決め孔に通されて、使用者が不注意から回転シートを回転させて二つのピンの角度を変更してしまうのを防止する。本考案はさらにＬＥＤランプコネクタを具えたＬＥＤランプを提供し、ＬＥＤランプの内部に交流切換え式電源供給器が設けられ、安定した出力電圧をＬＥＤランプに提供し、こうしてＬＥＤランプにちらつきの状況が発生するのを防止する。
【図面の簡単な説明】
【０００８】
【図１】本考案の好ましい実施例の使用状態図である。
【図２】本考案の好ましい実施例の立体外観図である。
【図３】本考案の好ましい実施例の断面図である。
【図４】本考案の好ましい実施例の分解図である。
【図５】本考案の好ましい別の実施例の立体外観図である。
【図６】本考案の好ましい別の実施例の断面図である。
【図７】本考案の好ましい別の実施例の分解図である。
【図８】本考案の好ましい別の実施例のＬＥＤランプの交流切換え式電源供給器がＬＥＤランプに設置された表示図である。
【図９】本考案の好ましい別の実施例の交流切換え式電源供給器のブロック図である。
【図１０】本考案の好ましい別の実施例の交流切換え式電源供給器のブロック図である。
【考案を実施するための形態】
【０００９】
図１から図４を参照されたい。これらはそれぞれ本考案の好ましい実施例の使用状態図、本考案の好ましい実施例の立体外観図、本考案の好ましい実施例の断面図、本考案の好ましい実施例の分解図である。図示されるように、本実施例は回転可能なＬＥＤランプコネクタ１を提供し、ＬＥＤランプコネクタ１は回転シート１０、二つのピン１６、カバー１２及びケース１４を包含する。回転シート１０は第１位置決め調整構造１００を具え、カバー１２が第２位置決め調整構造１２０を具え、第１位置決め調整構造１００は第２位置決め調整構造１２０に対応し、それと組み合わされる。本実施例の第１位置決め調整構造１００は調整部材１０１と複数の位置決め部材１０２を包含し、第２位置決め調整構造１２０は調整溝１２１と複数の位置決め孔１２２を包含する。カバー１２は回転シート１０の調整部材１０１を具えた一端部に設けられ、回転シート１０の調整部材１０１はカバー１２の調整溝１２１に通され、調整部材１０１は調整溝１２１中に摺動自在に組み合わされ、これら位置決め部材１０２は環状に配列され、これら位置決め孔１２２は回転シート１０のこれら位置決め部材１０２に対応し、同様に環状に配列され、これら位置決め部材１０２はそれぞれこれら位置決め孔１２２に対応し、それに通される。回転シート１０はケース１４に嵌め込まれ、ケース１４のカバー１２に近い一端部に複数の嵌め溝１４１が設けられ、カバー１２にケース１４の複数の嵌め溝１４１に対応して複数の固定部材１２３が設けられ、カバー１２の複数の固定部材１２３がケース１４の複数の嵌め溝１４１に係合され、カバー１２がケース１４に固定される。
【００１０】
以上により、ＬＥＤランプコネクタ１のカバー１２を設けた一端部がＬＥＤランプ２の一端部に設置され、回転シート１０とカバー１２の中心に穿孔１０３、１２５が設けられ、ＬＥＤランプ２の線路（図示せず）が順にカバー１２の穿孔１２５と回転シート１０の穿孔１０３をとおり、二つのピン１６は回転シート１０の一端部に設置され、二つのピン１６がＬＥＤランプ２の線路に接続されて、外部から供給される交流入力電圧を受け取る。ＬＥＤランプ２がランプシートに取付けられる時、回転シート１０は選択的にカバー１２及びケース１４に対して回転可能とされ、これにより第１位置決め調整構造１００と第２位置決め調整構造１２０の組合せ関係が調整される。すなわち、回転シート１０の調整部材１０１がカバー１２の調整溝１２１内で摺動させられ、これにより二つのピン１６が第１角度位置から第２角度位置に変更されることで、ＬＥＤランプ２がランプシートに取付けられる時、その照射方向が正確に調整される。
【００１１】
上述の調整部材１０１と調整溝１２１の組合せは干渉性の緊密な組合せであり、使用者は外力を印加して調整部材１０１を回して調整溝１２１内を摺動させて、調整部材１０１と調整溝１２１の組合せ関係を変更させる。カバー１２の調整溝１２１の回転可能な角度は０度から１８０度の間であり、これによりカバー１２の調整溝１２１の回転角度が１８０度超過して、回転シート１０の回転が１８０度超過するときに、ＬＥＤランプ２の線路が絡む状況を防止できる。このほか、本実施例のＬＥＤランプコネクタ１の回転シート１０のこれら位置決め部材１０２はそれぞれカバー１２のこれら位置決め孔１２２に対応してそれに通され、使用者が不注意から回転シート１０を回してピン１６の位置が変更されるのを防止する。このほか、図１中には本考案の回転可能なＬＥＤランプコネクタ１がＬＥＤランプ２の一端部に設置された状態のみが表示されているが、ＬＥＤランプ２の別端にも同様に本考案の回転可能なＬＥＤランプコネクタ１を設置でき、これによりＬＥＤランプ２の別端の二つのピンを回転させられる。
【００１２】
図５、６、７は本考案の好ましい別の実施例の立体外観図、断面図、及び分解図である。図示されるように、本実施例は回転シート１０、カバー１２、ケース１４及びピン１６を包含するほか、更に弾性部材１３を包含する。弾性部材１３は回転シート１０のカバー１２を未設置の一端部に嵌合される。回転シート１０がケース１４に嵌合され、ケース１４の底部にストッパ部１４３が設けられ、ストッパ部１４３は弾性部材１３のケース１４からの脱出を防止する。カバー１２のこれら固定部材１２３はケース１４のこれら嵌め溝１４１に係合され、カバー１２がケース１４に固定される。
【００１３】
このほかこの実施例は先の実施例と同様に、ＬＥＤランプコネクタ１のカバー１２を設けた一端がＬＥＤランプ２の一端に設置され、回転シート１０及びカバー１２の中心に穿孔１０３、１２５が設けられ、ＬＥＤランプ２の線路がカバー１２の穿孔１２５及び回転シート１０の穿孔１０３に通され、回転シート１０のカバー１２を具えていない一端部に二つのピン１６が設けられ、二つのピン１６がＬＥＤランプ２の線路に接続されて、外部から供給される交流入力電圧を受け取る。
【００１４】
この実施例のＬＥＤランプ２がランプシートに取付けられる時、ピン１６の位置を調整してＬＥＤランプ２の照射方向を正確にしたいときは、まず回転シート１０の二つのピン１６を設けた一端部をケース１４内より引出し、回転シート１０のこれら位置決め部材１０２をカバー１２のこれら位置決め孔１２２より退出させる。その後、回転シート１０を回して回転シート１０の調整部材１０１をカバー１２の調整溝１２１内で摺動させ、ふたつのピン１６を第１角度位置から第２角度位置に移動させ、ＬＥＤランプ２をランプシートに取り付ける時、その照射方向を正確とする。回転シート１０の角度を正確に調整した後、回転シート１０は弾性部材１３の弾力によりケース１４内に弾き返され、こうしてピン１６の位置が固定される。回転シート１０のこれら位置決め部材１０２がカバー１２のこれら位置決め孔１２２に係合することで、使用者が不注意から回転シート１０を回してふたつのピン１６を第１角度位置から第２角度位置に移すのを防止できる。この実施例も先の実施例と同様、カバー１２の調整溝１２１の回転可能角度が９度と１８０度の間とされ、カバー１２の調整溝１２１の回転可能角度が１８０度を超えた時に、ＬＥＤランプ２の線路が絡まる状況を防止できる。
【００１５】
このほか、本考案はさらにＬＥＤランプコネクタを具えたＬＥＤランプに用いられる交流切換え式電源供給器を提供している。図８及び図９は本考案の好ましい実施例のＬＥＤランプの交流切換え式電源供給器をＬＥＤランプに設置した表示図である。図示されるように、本考案の交流切換え式電源供給器９はＬＥＤランプ２の内部に取付けられ、且つそれぞれＬＥＤランプ２の第１ピン１６ａ、第２ピン１６ｂ、第３ピン１６ｃと第４ピン１６ｄに接続され、外部からＬＥＤランプ２の両側に提供される第１交流入力電圧ＡＣIN1 と第２交流入力電圧ＡＣIN2 を受けて出力電圧を発生し、ＬＥＤランプ２内部のＬＥＤを発光させる。
【００１６】
図９は本考案の別の実施例の交流切換え式電源供給器のブロック図である。図示されるように、本考案は更に交流切換え式電源供給器９を提供し、交流切換え式電源供給器９はＬＥＤランプ内に設置され、ＬＥＤランプの発光源にちらつきの発生する状況を防止する。本考案の交流切換え式電源供給器９は第１入力整流／ろ波回路２１０と電源変換回路２２０を包含し、第１交流入力電圧ＡＣIN1 と第２交流入力電圧ＡＣIN2 を受けて出力電圧を発生して負荷２３０に提供する。本実施例の負荷２３０は少なくとも一つのＬＥＤとされる。
【００１７】
第１入力整流／ろ波回路２１０は第１交流入力電圧ＡＣIN1 を受け取りそれを整流／ろ波して第１整流／ろ波電圧を発生する。電源変換回路２２０は第２入力整流／ろ波回路２２１を具え、第２交流入力電圧ＡＣIN2 を受け取りそれを整流／ろ波し、第２整流／ろ波電圧を発生する。上述の第１入力整流／ろ波回路２１０と第２入力整流／ろ波回路２２１の好ましい実施例はブリッジ整流／ろ波回路とされる。
【００１８】
図９を再び参照されたい。電源変換回路２２０は変圧器２２２と切換え回路２２３を包含する。変圧器２２２は電源変換回路２２０により第１入力整流／ろ波回路２１０の第１整流／ろ波電圧及び第２入力整流／ろ波回路２２１の第２整流／ろ波電圧に接続されて、電圧を出力する。切換え回路２２３は変圧器２２２に接続され、切換え信号を発生して該変圧器２２２を制御し、即ち切換え信号を利用して変圧器２２２を切り換えて、変圧器２２２の提供する出力電圧を切り換える。第１入力整流／ろ波回路２１０の第１整流／ろ波電圧と第２入力整流／ろ波回路２２１の第２整流／ろ波電圧は供給電圧を切換え回路２２３に提供し、切換え回路２２３の必要とする電源を供給する。切換え回路２２３の好ましい実施例はパルス幅変調（ＰＷＭ）回路とされる。
【００１９】
このほか、本考案の電源変換回路２２０は静電防護回路２２５を包含し、その一端は第１入力整流／ろ波回路２１０と第２入力整流／ろ波回路２２１に接続され、別端は変圧器２２２に接続され、静電防護回路２２５は変圧器２２２に対して静電防護し、変圧器２２２を静電による破壊から保護する。このほか、静電防護回路２２５はまた切換え回路２２３に接続され、該切換え回路２２３に対しても静電防護を行ない、切換え回路２２３を保護する。本考案は静電防護回路２２５を増設した設計下で、第１入力整流／ろ波回路２１０と第２入力整流／ろ波回路２２１が静電防護回路２２５を通し、ろ波整流後の電圧を変圧器２２２の一次側に提供し、変圧器２２２の二次側に出力電圧を発生させる。本考案の電源変換回路２２０は隔離式電源変換回路とされ、それは本考案の電源変換回路２２０に変圧器２２２により出力電圧を提供し、且つ変圧器２２２の一次側と二次側を分離し、一次側の受け取る電圧と二次側の発生する出力電圧を分離し、それは高電圧端と低電圧端を分離する設計とされ、ゆえに危険性が下がり、使用者に感電の状況を発生せず、危険を防止できる。
【００２０】
図９を再び参照されたい。本考案の電源変換回路２２０の変圧器２２２の出力端は出力整流／ろ波回路２２６に接続され、それは変圧器２２２の出力電圧を整流／ろ波し、更に安定した出力電圧を負荷２３０に提供する。有効に負荷２３０の作動状態に応じて出力状態を自動調整し、適当な出力電圧を負荷２３０に提供するため、電源変換回路２２０は更に検出回路２２７とフィードバック制御回路２２８を包含する。検出回路２２７は負荷２３０の作動状態を検出し、例えば検出回路２２７が負荷であるＬＥＤの状態、例えばＬＥＤ（負荷２３０）の輝度を検出して対応する検出信号を発生する。フィードバック制御回路２２８は検出信号を受けて対応するフィードバック制御信号を発生し、切換え回路２２３を制御して切換え信号を発生させ、すなわち切換え回路２２３がフィードバック制御信号を受けて切換え信号を発生し、すなわち切換え信号のパルス幅を適当に変調することにより変圧器２２２を制御し、こうして電源変換回路２２０がＬＥＤ（負荷２３０）の作動状態に応じて出力電圧の大きさを調整する。
【００２１】
以上を受け、以下に本考案がどのように検出回路２２７とフィードバック制御回路２２８を利用し、切換え回路２２３を制御し、出力電圧を適宜調整するかについて詳細に説明する。もし検出回路２２７が負荷２３０（ＬＥＤ）の輝度不足を検出したなら、検出回路２２７はそれに対応して検出信号を発生し、フィードバック制御回路２２８が検出信号によりフィードバック制御信号を発生し、こうして切換え回路２２３がフィードバック制御信号により切換え信号のデューティーサイクルを増し、これにより変圧器２２２を制御して出力電圧を高くし、それにより負荷２３０（ＬＥＤ）の輝度を高める。反対に、検出回路２２７が負荷２３０（ＬＥＤ）の発光輝度が強すぎることを検出すると、フィードバック制御回路２２８は検出回路２２７の発生する検出信号により対応するフィードバック制御信号を発生し、切換え回路２２３を制御して切換え信号のデューティーサイクルを短縮し、それにより変圧器２２２の出力電圧を下げ、それにより負荷２３０（ＬＥＤ）の発光輝度を下げる。
【００２２】
このほか、検出回路２２７とフィードバック制御回路２２８が変圧器２２２の出力電流を固定値に制御することにより、電流安定化の特性を達成することもできる。本考案の電源供給器は電圧安定化の特性を達成し、出力電圧は第１交流入力電圧ＡＣIN1 と第２交流入力電圧ＡＣIN2 の変動により変化せず、安定した出力電圧を負荷２３０（ＬＥＤ）に提供し、負荷２３０（ＬＥＤ）はちらつきの状況を発生せず、人々に快適な照明光源を提供でき、人々の目が疲労感を生じるのを防止できる。
【００２３】
図１０は本考案の別の好ましい実施例の交流切換え式電源供給器のブロック図である。図９も併せて参照されたい。図示されるように、この実施例の先の実施例との異なるところは、この実施例は検出回路２２７を利用せず、この実施例のフィードバック制御回路２２８は電源変換回路２２０の出力端に接続されて、出力電圧によってフィードバック制御信号を生成し、こうして切換え回路２２３の切換え信号発生を制御していることである。この実施例の先の実施例との主要な違いは、直接フィードバック制御回路２２８を利用して出力電圧により切換え回路２２３を制御し、すなわち、切換え回路２２３が出力電圧により切換え信号のパルス幅を調整し、これにより変圧器２２２を制御して出力電圧の大きさを制御することである。もし出力電圧が小さければ、切換え回路２２３はフィードバック制御回路２２８のフィードバック制御信号により切換え信号のデューティーサイクルを増加して、変圧器２２２を制御して出力電圧を増す。反対に出力電圧が大きすぎれば、切換え回路２２３はフィードバック制御信号により切換え信号のデューティーサイクルを短縮し、変圧器２２２を制御して出力電圧を下げる。
【００２４】
以上は本考案の好ましい実施例の説明に過ぎず、本考案の実施の範囲を限定するものではなく、本考案の実用新案登録請求の範囲に基づきなし得る形状、構造、特徴及び精神の同等の変化及び修飾は何れも本考案の請求の範囲に属するものとする。
【符号の説明】
【００２５】
１  ＬＥＤランプコネクタ
１０  回転シート
１００  第１位置決め調整構造
１０１  調整部材
１０２  位置決め部材
１０３  穿孔
１２  カバー
１２０  第２位置決め調整構造
１２１  調整溝
１２２  位置決め孔
１２３  固定部材
１２５  穿孔
１３  弾性部材
１４  ケース
１４１  嵌め溝
１４３  ストッパ部
１６  ピン
１６ａ  第１ピン        １６ｂ  第２ピン
１６ｃ  第３ピン        １６ｄ  第４ピン
２  ＬＥＤランプ
９  交流切換え式電源供給器
２１０  第１入力整流／ろ波回路
２２０  電源変換回路
２２１  第２入力整流／ろ波回路
２２２  変圧器
２２３  切換え回路
２２５  静電防護回路
２２６  出力整流／ろ波回路
２２７  検出回路
２２８  フィードバック制御回路
２３０  負荷
ＡＣIN1  第１交流入力電圧
ＡＣIN2  第２交流入力電圧
【図１】
0003153401.tif 000003
【図２】
0003153401.tif 000004
【図３】
0003153401.tif 000005
【図４】
0003153401.tif 000006
【図５】
0003153401.tif 000007
【図６】
0003153401.tif 000008
【図７】
0003153401.tif 000009
【図８】
0003153401.tif 000010
【図９】
0003153401.tif 000011
【図１０】
0003153401.tif 000012